(57)【特許請求の範囲】
【請求項１】
ネット上に複数のタイルが所定の目地間隔で配列されたネット付きタイルユニットを、接着剤層を介して基材に固定した建材であって、前記接着剤層には、前記ネットの一目の大きさよりも小さな間隔で、複数の突起状の不規則な凸部からなる模様が形成されていることを特徴とする建材。
【請求項２】
建築基材上に複数のタイルからなるタイルユニットを固定する方法であって、前記基材上に接着剤を塗布し、接着剤層を形成する工程と、前記接着剤層上に、ネット上に複数のタイルを所定の目地間隔で配列固定されたネット付きタイルユニットを貼着させる工程とを備え、
前記接着剤層には、前記ネットの一目の大きさよりも小さな間隔で、複数の突起状の不規則な凸部からなる模様が形成されるように前記塗布を行うにしたことを特徴とする、建築基材上へのタイルユニットの固定方法。
【請求項３】
前記塗布はローラーにより塗布する工程である、請求項２に記載の建築基材上へのタイルユニットの固定方法。
【発明の詳細な説明】
【技術分野】
【０００１】
本発明は、ネットに複数のタイルを配列固定したタイルユニットを、接着剤層を介して基材に貼着した建材に関する。また、本発明は、ネットに複数のタイルを配列固定したタイルユニットを、接着剤層を介して基材に貼着する方法に関する。 
【背景技術】
【０００２】
従来、接着剤層を介してタイルを所定の目地間隔で配列固定する方法が提案されている。 このような方法によれば、建築基材に接着剤を櫛目鏝で塗布、平鏝で平滑にならして均一な厚みの接着剤層を形成後、タイルを１枚１枚押圧して貼着していくものである。（例えば、特許文献１参照。）
【０００３】
タイルを１枚１枚貼着していく方法は、工数も多く、タイルの目地間隔を一定に保つためには職人の技量に負うところが大きいという問題があるため、網目ネット上に複数タイルを所定の目地間隔で接着剤を使用して配列固定したタイルユニットを作製し、このタイルユニットのネット取付面側を建築基材上へ接着剤を用いて固定する方法も提案されている。（例えば、特許文献２参照。）
【特許文献１】特開平１０-１５９３０４号公報
【特許文献２】特開２０００-９６８０２号公報
【発明の開示】
【発明が解決しようとする課題】
【０００４】
タイルを基材に塗布した接着剤層に貼着する場合、接着剤層の厚みは数ｍｍ程度であるため、タイル裏面が接着剤層にほとんど埋設されない。タイル目地部においては、タイルユニット貼着後もネットが接着剤層の上に露出して外観上好ましくないという問題があり、樹脂モルタル等を目地部に塗り込む工程を要する場合があった。また、目地部のネットを目立たせなくするために、タイルユニットの目地間隔を狭くしなければならないといった意匠上の制約があった。
【０００５】
本発明は上記問題を解決するためになされたもので、本発明の目的は、ネット上に複数のタイルを配列固定されたネット付きタイルユニットを接着剤層を介して基材に固定する際に、目地部のネットを目立たせずに良好な外観を得ることである。
【課題を解決するための手段】
【０００６】
上記目的を達成するために、本発明は、ネット上に複数のタイルが所定の目地間隔で配列されたネット付きタイルユニットを、接着剤層を介して基材に固定した建材であって、前記接着剤層には、前記ネットの一目の大きさよりも小さな間隔で、複数の突起状の不規則な凸部からなる模様が形成されていることを特徴とする建材を提供する。
【０００７】
また本発明では、建築基材上に複数のタイルからなるタイルユニットを固定する方法であって、前記基材上に接着剤を塗布し、接着剤層を形成する工程と、前記接着剤層上に、ネット上に複数のタイルを所定の目地間隔で配列固定されたネット付きタイルユニットを貼着させる工程とを備え、前記接着剤層には、前記ネットの一目の大きさよりも小さな間隔で、複数の突起状の不規則な凸部からなる模様が形成されるように前記塗布を行うにしたことを特徴とする、建築基材上へのタイルユニットの固定方法を提供する。
【０００８】
接着剤層の表面形状を上記模様に形成することによって、タイルユニット貼着後も、目地部に存在するネットの一部は接着剤層の凸部に埋没するので、あるいは、目地部に存在するネットの一部は露出していても、接着剤層の凸部と凸部との間の谷部に露出したネットが存在するので、外観上ネットが目立つことがなくなる。したがってタイルユニットに貼着後に樹脂モルタル等を目地部に塗り込む必要がなく、また、目地間隔の広いタイルユニットを提供することが可能となる。
【発明の効果】
【０００９】
本発明によれば、ネット付きタイルユニットを貼着後も目地部のネットが外観上目立たないという効果をもたらす。
【発明を実施するための最良の形態】
【００１０】
以下に、本発明の具体的な実施形態について、図に基づき説明する。
図１は本発明に係る建材の全体構成の概略を示す図である。図２は図１に係る建材の部分断面拡大図である。図２（ａ）はタイルユニットが接着固定されていない目地部分、すなわち図１のａ部分の断面を示した図であり、図２（ｂ）はタイルユニットが接着固定された部分、すなわち図１のｂ部分の断面を示した図である。
【００１１】
網目状ネット１上に複数のタイル２が所定の目地間隔で配列固定されたネット付タイルユニットを、接着剤４を介して基材５に固定されている。接着剤４は、基材５とタイル２の裏面との間に２ｍｍ以下の厚さで存在している。また、接着剤４は、網目状ネット１を覆うように固定されている。接着剤４の層表面には、多数の凸部が形成されており、相互に隣接する凸部と凸部との間隔はネット一目の大きさよりも小さく形成されている。
【００１２】
ここで、ネット付タイルユニットは、例えば、所定の目地間隔で配列したタイル上に結着剤を塗布し、その上から網目状ネットを固定することにより得ることができる。また、ネット付きタイルユニットは、予め結着剤を塗布した網目状ネットを、所定の目地間隔で配列したタイル上に固定することによっても得ることができる。
【００１３】
網目状ネットを形成する糸の太さは、特に限定されないが、０．０５〜０．２５ｍｍが好ましい。０．０５ｍｍ以上であることで、網目状ネット１を覆うように固定されたときにネットが効果的にアンカリングの効果をもたらす。また、０．２５ｍｍ未満、好ましくは０．２ｍｍ未満であることで、接着剤厚みを２ｍｍ以下に薄くしても充分な量の接着剤がネットを覆うようになり充分な接着剤強度が確保される。なお、網目状ネットを構成する糸が扁平な断面形状である場合は、ネットの厚みが上記範囲となるようにすれば良い。
【００１４】
ネットの網目形状は、正方形、三角形、菱形、六角形等いずれであっても良い。また、網目状ネットの目の大きさについては、特に限定されないが、５〜２０ｍｍが好ましい。５ｍｍ以上であることで、接着剤をタイル裏面に達する接着剤量を充分に確保できる。また、２０ｍｍ以下、好ましくは１５ｍｍ以下、より好ましくは１０ｍｍ未満であることで、ネットが効果的にアンカリングの効果をもたらす。
【００１５】
網目状ネットの材質は、例えば、ナイロン、ポリエステル、ビニロン、アクリル、ポリプロピレン、ポリエチレン、アラミド、木綿、人絹、ガラス繊維等が好適に利用できる。また、ネット表面には樹脂加工を施しているのが好ましい。この樹脂加工は網目のずれを防止するとともに、配列したタイルに接着する時の加工性が向上する。樹脂は特に限定されないが、例えば、アクリル樹脂、メラミン樹脂等が好適に利用できる。さらに前記樹脂には、タイルユニットを基材に固定するための接着剤と色を合致させるための着色料を添加することも可能である。
【００１６】
タイルは、陶磁器製、ガラス製のセラミックスからなり、施釉タイルでも無釉タイルでも利用できる。例えば、造粒粉を作成後に金型中で乾式プレス成形し、その上に必要に応じて釉薬を塗布し焼成することで得られる。また、素地にフライアッシュバルーン、シラスバルーン、ガラスバルーンなどの軽量骨材や、炭化珪素などの発泡材を添加した軽量タイルも好適に利用できる。
【００１７】
タイル裏面は裏足の無いか、裏足高さが１ｍｍ未満の形状とする。そうすることで、タイルの裏面の略全体に亘って接着剤が密着することが可能となり、充分な接着強度が確保される。
【００１８】
さらに、タイル表面には光触媒層を設けても良い。そうすることで、タイル表面にセルフクリーニング性や抗菌性を付与することができる。
【００１９】
網目状ネット上への裏足のないタイルの固定には、例えば、水系の結着剤が好適に利用できる。結着剤の種類としては、例えば、エチレン酢酸ビニル、ポリアクリル、ポリウレタン等のエマルジョン結着剤が利用可能である。
【００２０】
タイル間の目地間隔は、１〜２０ｍｍが好ましい。１〜５ｍｍでは目地上のネットが目立ちにくく、５〜２０ｍｍでは建材におけるタイル使用重量が減少するため、壁基材上への施工が容易になる。
【００２１】
次に、壁等の建築基材へのネット付きタイルユニットの固定方法について説明する。
基材には、清掃、割れやへこみのパテ埋め等の下地調整を適宜施した後、タイルユニットと基材とを接着固定するための接着剤を塗布する。接着剤は、基材とタイルの裏面との間に２ｍｍ以下、好ましくは１ｍｍ未満の厚さで存在しているようにする。接着剤の厚さは基材への付着量および塗布面積から計算によって求めるものとする。
【００２２】
接着剤の塗布は、櫛目鏝を利用したこて塗り、コーキングガンのような連続押し出し装置を使用する方法、ローラーによるロール塗布、スプレー塗布により、所定量の接着剤を塗りつける接着剤塗布工程を行った後、表面に凸部を形成する工程を行う。特に、ローラーを用いたロール塗布、スプレー塗布は、接着剤塗布および凸部形成を同時に行うことができ、容易に接着剤を薄く均一に塗布することが可能となるので好ましい。
【００２３】
図３は、壁基材にローラーを用いたロール塗布法にて接着剤を塗布する工程の概略を示した図である。図示した例では、接着剤を予めローラーに付着させ、基材表面に転写するものである。転写の際に接着剤の一部がその粘性によってローラー側に引き上げられることによって、上述した凸部が形成される。このような形成方法においては、塗装に用いるときに使用される市販のローラーを使用できる。なお、ここに挙げた例では、接着剤塗布と凸部形成を同時に行ったが、上記の方法で所定量の接着剤を壁に付着させた後に、ローラーで基材に均一にならす際に凸部を形成させても良い。
【００２４】
凸部を形成するための他の例としては、こて塗り等でほぼ平滑に製膜された接着剤層が硬化する前に、スタンプやローラーによって型押しして凸部を形成する方法を挙げることができる。この方法で使用されるスタンプやローラーの接着剤と接触する面には、凸部の形状に合わせた窪みが形成されている。
【００２５】
図３に示したロール塗布法の場合、接着剤の粘性を、使用環境下（０〜４０℃）において、Ｂ型粘度計Ｎｏ．７ローター、回転数１０ｒｐｍで１０００Ｐａ・Ｓ以下、好ましくは５００Ｐａ・Ｓ以下、より好ましくは３００Ｐａ・Ｓ以下とし、かつ、Ｂ型粘度計Ｎｏ．７ローター、回転数１ｒｐｍで１００Ｐａ・Ｓ以上、好ましくは２００Ｐａ・Ｓ以上の範囲とする。ローラーで塗布するためには低粘度化することが望ましいが、低粘度化することによって、タイルのズレ抵抗性が問題になるため、上記の範囲とすることで、ロール塗布法で接着剤を塗布することが可能となる。また、好ましいＴＩ値は４以上２０未満である。ＴＩ値は、［１ｒｐｍでの粘度］／［１０ｒｐｍでの粘度］にて求める。
【００２６】
接着剤には、アクリル系、エポキシ系、ウレタン系、アクリルシリコーン系、エポキシシリコーン系等の有機系接着剤単独あるいは複数組み合わせたものを利用でき、必要に応じて炭酸カルシウム、シリカ、炭酸マグネシウム、酸化カルシウム、酸化マグネシウム、ガラスバルーン、珪藻土、ムライト、カオリン、タルク、クレー、マイカ、ベントナイト、フライアッシュ、ケイ酸アルミニウム、酸化亜鉛等の無機充填剤やチタニア、カーボン等の無機顔料を添加したものを好適に利用できる。これらの材料は特に限定されず、所望の粘性、ＴＩ値に応じて公知の材料を適宜選択する。
【００２７】
ロール塗布によって接着剤層の表面に凸部を形成する際に、接着剤が過剰にローラー側に引き上げられて糸を引くようになる場合がある。このような性質（糸引き性）を抑制し、ローラー抵抗を軽くするためには、粒子径１μｍ以上１０００μｍ以下、好ましくは１０μｍ以上５００μｍ以下、より好ましくは１００μｍ以上３００μｍ以下の無機粒子を、接着剤の１重量％以上７０重量％以下、好ましくは３％以上５０重量％以下の範囲で添加する。このような無機粒子としては、炭酸カルシウム、ガラスバルーン、炭酸マグネシウム、酸化カルシウム、酸化マグネシウムを利用できる。
なお、粒子径は走査型電子顕微鏡で観察し、画像処理して平均粒子径を測定した値である。
【００２８】
接着剤を塗布し、凸部形成した後に、タイルユニットを押付け固定し、接着剤を硬化させることで、本発明の建材が完成する。タイルユニットを押付けることによって、ネットの目の部分には前記タイルの裏面の略全面に亘って密着するように接着剤が充填されるようになり、基材とその上に固定するタイルとの接着強度を充分に確保することが可能となる。また、目地部においては接着剤層の凸部が保持されつつ、ネットが接着剤層の内部か、凸部と凸部との間の谷に埋設されるため、ネットが外観上目立たなくなるのである。
【図面の簡単な説明】
【００２９】
【図１】本発明に係る建材の全体構成の概略を示す斜視図である。
【図２】図１に係る建材の部分断面拡大図であり、（ａ）は図１のａ部分の断面拡大図、（ｂ）は図１のｂ部分の断面拡大図ある。
【図３】ロール塗布法にて接着剤を塗布する工程の概略を示した斜視図である。
【符号の説明】
【００３０】
１…網目状ネット、
２…タイル、
３…目地、
４…接着剤、
５…基材
【図１】
0003705291.tif 000002
【図２】
0003705291.tif 000003
【図３】
0003705291.tif 000004